(57)【特許請求の範囲】
【請求項１】
筒状の継手本体に、管が外嵌合される筒状の接続口部とこの接続口部の周囲に同心状に突設された筒状の突出部とが設けられ、その突出部の先端に奥側ほど漸次縮径するテーパ状の案内面が形成されていると共に、
上記継手本体にねじ合わせ結合される押輪と、その押輪の押付け力を受けて上記案内面に押し付けられることによりその押輪のねじ込み量に見合うだけ縮径されかつその縮径により上記接続口部に外嵌合された上記管をその外側から締め付ける弾性を備えた抜止めリングと、上記押輪に挿通された上記管の先端部を挿入可能でかつ上記抜止めリングの内側に対して嵌脱可能な輪部及びこの輪部に挿入された上記管の先端面が当接する当り部を備え、かつ上記抜止めリングとは別体の抜止めリング支持体とを有し、
上記突出部と上記接続口部との間に、上記抜止めリング支持体とその抜止めリング支持体の上記輪部に挿入された上記管の先端部とが挿入される管端挿入空間が形成され、
上記接続口部の外周側に、上記抜止めリングによって締め付けられた上記管の内周に喰込み可能な複数条の突歯が設けられ、上記抜止めリング支持体は、その輪部が、自然状態の上記抜止めリングの内径よりも大きな外径を有しかつその輪部に挿入された上記管の先端部外周に引っ掛かってその管を抜止めする掛止部を有することをことを特徴とする管継手。
【請求項２】
上記抜止めリング支持体が金属製であり、その抜止めリング支持体の上記掛止部が、その抜止めリング支持体の上記輪部に内側へ向けて切起し形成された切起し片に具備されている爪部の先端によって形成されている請求項１に記載した管継手。
【請求項３】
上記切起し片が、上記抜止めリング支持体の上記輪部の周方向等間隔おきの複数箇所に切起し形成されている請求項２に記載した管継手。
【請求項４】
複数箇所の上記切起し片のそれぞれが、上記輪部の周方向に並んだ２つの対称な上記爪部を有していると共に、それらの爪部の相互間に正面から見て凹入した谷形部が形成されている請求項３に記載した管継手。
【請求項５】
上記掛止部として形成されている上記爪部の先端は、その爪部の内面とその内面につながった厚さ方向の先端輪郭線とによって形作られるコーナが角張っていると共に、その平面視形状が角張っている請求項２、請求項３、請求項４のいずれかに記載した管継手。
【請求項６】
上記掛止部として形成されている上記爪部の先端は、その平面視形状がＶ字形に角張っていて上記抜止めリング支持体の上記当り部側に向けて突き出ている請求項５に記載した管継手。
【発明の詳細な説明】
【０００１】
【発明の属する技術分野】
本発明は、管継手、特に抜止めリングによって管を締め付けることにより管を抜け止めする機能を備えた管継手に関する。
【０００２】
【従来の技術】
この種の管継手の多くは、雄ねじを備えた継手本体、その雄ねじにねじ込まれる雌ねじを備えた押輪、抜止めリング、などを有している。そして、このような管継手は、継手本体の雄ねじに押輪の雌ねじをねじ込んで継手本体と押輪とをねじ合わせ結合し、かつ、その内部に抜止めリングを保持させることによって上記三者を一体に組み立てて配管施工現場に搬入されることが多い。
【０００３】
【発明が解決しようとする課題】
本願出願人は、先に、上記のような管継手において、継手本体の接続口部に管を差し込むことによって押輪のねじ込みが可能になり、管が十分な長さだけ差し込まれている状況で押輪をねじ込みさえすれば、継手本体の接続口部に差し込まれた管に対して抜止めリングによる抜止め作用が発揮され、当初の接続口部に対する管の差込み長さが不足しているときには、押輪をねじ込むことができなくなって管の差込み長さの不足を認識することのできるというような作用を発揮する管継手を提案した。しかし、この管継手によると、その取扱いの如何によっては十分な抜止め機能を発揮させ得なくなることが知見された。
【０００４】
以下に、この管継手の詳細な構造、組立手順並びに作用と、この管継手の取扱い方が悪い場合の問題点とを説明する。なお、図１１〜図１３は本出願人が先に提案した上記管継手の組立手順を示した部分縦断側面図、図１６はその管継手に用いられている抜止めリング支持体５の斜視図であり、また、図１４及び図１５は上記管継手の問題点を説明するための部分縦断側面図である。
【０００５】
図１１〜図１３において、筒状の継手本体１は金属製であり、レンチなどの工具に対する係止部１１、合成樹脂製の管６が外嵌合して接続される筒状の接続口部１２、接続口部１２の周囲に同心状に突出された筒状の突出部１３などを具備しており、接続口部１２が上記突出部１３よりも突き出し、接続口部１２と突出部１３との間に管端挿入空間１４が形成されている。また、接続口部１２の外周の軸方向中央部に複数条の鋸歯状の突歯１５がリング状に形成されている。さらに、突出部１３は、その先端に上記管端挿入空間１４に近付くほど漸次縮径するテーパ状の案内面１６を有し、その外周に雄ねじ１７を有する。押輪３は金属製であり、継手本体１０の雄ねじ１７にねじ合わせ可能な雌ねじ３１をその内周部の前半部に有している。この押輪３の後壁内面は、前拡がりに傾斜したテーパ状の押付面３５に形成されている。抜止めリング４は、周方向の１箇所が欠除された弾性リング部材によって形成されており、その内周に複数条（図例では２条）の突歯４１がリング状に形成されている。図１６にも示したように、抜止めリング支持体５は、短円筒状の輪部５１とその輪部５１の前端部に内向きに設けられたリング状の当り部５２とを有している。そして、その輪部５１が、自然状態の抜止めリング４の内径よりも少し大きな外径を有している。また、抜止めリング支持体５は、上記管端挿入空間１４に挿入可能な外径及び内径を有している。
【０００６】
上記管継手の組立手順を図１１〜図１３を参照して説明する。最初に、図１１のように継手本体１の雄ねじ１７に押輪３の雌ねじ３１をねじ合わせることによって、押輪３を継手本体１に仮締めしておく。このときには、押輪３の押付面３５と継手本体１の案内面１６との間の空間内で抜止めリング４を保持させておき、しかも、その抜止めリング４の内側に、その抜止めリング４の弾性を利用して抜止めリング支持体５の輪部５１を嵌合保持させておく。
【０００７】
こうして組み立てられた管継手では、抜止めリング支持体５の輪部５１によって抜止めリング４の縮径が阻止されているので、押輪３を正回転させてその雌ねじ３１を継手本体１の雄ねじ１７の第２ねじ部１７ｂにねじ込んでいった場合、押輪３の押付面３５が抜止めリング４に当たった後の段階では、押輪３をねじ込むことが不可能である。
【０００８】
その一方、図１２のように押輪３に挿通した管６の先端部６１を抜止めリング支持体５の輪部５１に挿入し、その管６の先端面６２で抜止めリング支持体５の当り部５２を押して同図のように抜止めリング支持体５を抜止めリング４から押し出し、管端挿入空間１４の中まで押し込むと、抜止めリング支持体５による抜止めリング４の縮径規制作用が解除される。
【０００９】
こうして抜止めリング支持体５による抜止めリング４の縮径規制作用を解除した後、押輪３をねじ込んでいくと、押輪３の押付面３５が抜止めリング４を案内面１６に押し付けて滑らせるので、押付面３５により抜止めリング４に加えられる押付け力が押付面３５と案内面１６とにより径内方向に向く力に変換されて抜止めリング４が押輪３のねじ込み量に見合うだけ縮径する。そして、抜止めリング４が案内面１６の内周端のところまで縮径された後、さらに押輪３がねじ込まれると、図１３のように抜止めリング４が管端挿入空間１４に押し込まれる。このときには、管６の先端部６１の外周に抜止めリング４の突歯３１が喰い込み、管６の先端部６１の内周に接続口部１２の突歯１５が喰い込む。これにより間６が抜止めされる。なお、管６の先端部６１は管端挿入空間１４の奥まで挿入されている。
【００１０】
上記管継手では、押輪３をねじ込むことができるときには管６の先端部６１が管端挿入空間１４の中まで挿入されて抜止めリング支持体５も管端挿入空間１４の中へ押し込まれている。したがって、押輪３をねじ込むことができさえすれば、接続口部１２に十分な差込み長さだけ外嵌合された管６に対して抜止めリング３０による抜止め作用を加えることができるようになる。これに対し、接続口部１２に対する管６の差込み長さが不足しているようなときには、管６によって抜止めリング支持体５が抜止めリング４から押し出されないので、押輪３をねじ込むことができない。
【００１１】
以上の説明から判るように、上記管継手では、継手本体１の接続口部１２に管６を差し込むことによって押輪３のねじ込みが可能になり、管６が十分な長さだけ差し込まれている状況で押輪３をねじ込みさえすれば、継手本体１の接続口部１２に差し込まれた管６に対して抜止めリング４による抜止め作用や接続口部１２の突歯１５による抜止め作用が発揮され、当初の接続口部１２に対する管６の差込み長さが不足しているときには、抜止めリング支持体５が抜止めリング４に嵌まり込んだままになって押輪３をねじ込むことができなくなり、管６の差込み長さの不足を認識することのできるというような作用が発揮される。
【００１２】
しかしながら、この管継手において、図１２のように管６が一旦は十分な長さだけ差し込まれたとしても、何らかの原因によって図１４の矢印Ｘ１のように管６が引き戻されるという事態の起こることがある。この場合に、管６の先端部６１が挿入されている抜止めリング支持体５が管６と共に後退したとしても、その抜止めリング支持体５は、自然状態になっている抜止めリング４に当たってその位置より後方には移動し得ない。そのため、図１５の矢印Ｘ２のように抜止めリング４に当たって後退が阻止されている抜止めリング支持体５から管６の先端部６１が抜け出すという事態を生じることがある。
【００１３】
ここで、図１４のように、抜止めリング支持体５が抜止めリング４に当たっていて、しかも、抜止めリング支持体５に管６の先端部６１が挿入されたままになっている状態では、接続口部６の複数の突歯１５の全部が管６の内周に対峙した状態を保っているので、押輪３をねじ込んで抜止めリング４を縮径させると、接続口部６の複数の突歯１５の全部が管６の内周に喰い込んで管６に対する十分な抜止め作用を発揮する。
【００１４】
しかしながら、図１５のように、抜止めリング４に当たって後退が阻止されている抜止めリング支持体５から抜け出る位置まで管６が引き戻された状態では、接続口部６の複数の突歯１５の一部は管６の内周に対峙した状態を保っているものの、他の突歯１５が管６から露出してしまう。この状態で、押輪３をねじ込んで抜止めリング４を縮径させても、接続口部６の複数の突歯１５の一部だけが管６の内周に喰い込むに過ぎないので、管６に対する十分な抜止め作用が発揮されなくなるおそれがある。
【００１５】
本発明は図１１〜図１３で説明したような構造の管継手において、その取扱いの如何によっては図１５で説明したような問題点、すなわち、抜止めリング４に当たって後退が阻止されている抜止めリング支持体５から管６が抜け出し、接続口部６の複数の突歯１５の全部による抜止め作用が発揮され得なくなるような事態を未然に防止することのできる管継手を提供することを目的とする。
【００１６】
【課題を解決するための手段】
本発明に係る管継手は、基本的には図１１〜図１３で説明したものと同じ構成を有している。すなわち、この管継手は、筒状の継手本体１に、管６が外嵌合される筒状の接続口部１２とこの接続口部１２の周囲に同心状に突設された筒状の突出部１３とが設けられ、その突出部１３の先端に奥側ほど漸次縮径するテーパ状の案内面１６が形成されていると共に、上記継手本体１にねじ合わせ結合される押輪３と、その押輪３の押付け力を受けて上記案内面１６に押し付けられることによりその押輪３のねじ込み量に見合うだけ縮径されかつその縮径により上記接続口部１２に外嵌合された上記管６をその外側から締め付ける弾性を備えた抜止めリング４と、上記押輪３に挿通された上記管６の先端部６１を挿入可能でかつ上記抜止めリング４の内側に対して嵌脱可能な輪部５１及びこの輪部５１に挿入された上記管６の先端面６１が当接する当り部５２を備え、かつ上記抜止めリング４とは別体の抜止めリング支持体５とを有し、上記突出部１３と上記接続口部１２との間に、上記抜止めリング支持体５とその抜止めリング支持体５の上記輪部５１に挿入された上記管６の先端部６１とが挿入される管端挿入空間１４が形成され、上記接続口部１２の外周側に、上記抜止めリング４によって締め付けられた上記管６の内周に喰込み可能な複数条の突歯１５が設けられ、上記抜止めリング支持体５は、その輪部５１が、自然状態の上記抜止めリング４の内径よりも大きな外径を有している。
【００１７】
そして、この管継手では、上記のような基本構成に加え、上記抜止めリング支持体５の輪部５１が、その輪部５１に挿入された上記管６の先端部６１の外周に引っ掛かってその管６を抜止めする掛止部を有している、というものである。
【００１８】
上記管継手において、抜止めリング支持体５の輪部５１が上記掛止部を有していると、図１５で説明したような抜止めリング支持体５の輪部５１からの管６の抜出しが起こりにくくなるので、接続口部６の複数の突歯１５の全部による抜止め作用が発揮され得なくなるような事態が未然に防止される。
【００１９】
本発明においては、上記抜止めリング支持体５が金属製であり、その抜止めリング支持体５の上記掛止部が、その抜止めリング支持体５の上記輪部５１に内側へ向けて切起し形成された切起し片に具備されている爪部の先端によって形成されている、という構成を採用することが可能である。このようになっていると、抜止めリング支持体５の輪部５１からの管６の抜出しが、掛止部としての上記爪部の先端によって防止される。
【００２０】
上記切起し片は、上記抜止めリング支持体５の上記輪部５１の周方向等間隔おきの複数箇所に切起し形成されていることが望ましく、そのようになっていると、複数の切起し片に具備されている爪部の先端によって、管６の当角度おきの複数箇所で管６の抜出しを防止する作用が発揮されるようになり、そのことが、抜止めリング支持体５の輪部５１からの管６の抜出しをいっそう確実に防止することに役立つ。
【００２１】
また、複数箇所の上記切起し片のそれぞれが、上記輪部５１の周方向に並んだ２つの対称な上記爪部を有していると共に、それらの爪部の相互間に正面から見て凹入した谷形部が形成されていることが望ましい。このようになっていると、複数箇所の切起し片のそれぞれ谷形部に管６が嵌まり込むことによって管６が抜止めリング支持体５の輪部５１に対して調心されるので、図１５で説明したように抜止めリング支持体５が抜止めリング４に当たったときに、その抜止めリング支持体５が傾き、その傾きによって上記爪部の先端による管の抜出し防止作用が損なわれるといった事態が生じにくくなる。
【００２２】
上記掛止部として形成されている上記爪部の先端は、その爪部の内面とその内面につながった厚さ方向の先端輪郭線とによって形作られるコーナが角張っていることが望ましい。また、上記掛止部として形成されている上記爪部の先端は、その平面視形状が角張っていることが望ましい。このようになっていると、爪部の先端が管の先端部外周に引っ掛かりやすくなり、そのことが、抜止めリング支持体５の輪部５１からの管６の抜出しをいっそう確実に防止することに役立つ。
【００２３】
さらに、上記掛止部として形成されている上記爪部の先端は、その平面視形状がＶ字形に角張っていて上記抜止めリング支持体の上記当り部側に向けて突き出ていることが望ましい。このようになっていると、爪部の先端が管の先端部外周にいっそう引っ掛かりやすくなり、そのことが、抜止めリング支持体５の輪部５１からの管６の抜出しをいっそう確実に防止することに役立つ。
【００２４】
【発明の実施の形態】
次に本発明に係る管継手の実施形態を説明する。図１は本発明の管継手の実施形態を示した部分縦断側面図であり、上記した図１４に対応している。また、図２は抜止めリング支持体５の後面図、図３は図２のＩＩＩ−ＩＩＩ線に沿う断面図、図４（ａ）は爪部７をその内面に面する側から見た形状を示す図、図４（ｂ）は図４（ａ）のＩＶｂ−ＩＶｂ線に沿う拡大断面図、図５は図２及び図３の抜止めリング支持体５の作用を説明するための一部破断側面図である。さらに、図６〜図１０は種々の変形例による抜止めリング支持体５の一部破断側面図である。
【００２５】
図１に示した管継手は、抜止めリング支持体５の構成を除き、図１１〜図１３で説明した管継手と同じ構成を有している。したがって、同一部分に同一符号を付して詳細な説明を省略する。
【００２６】
図１に示した管継手に用い得る種々のタイプの抜出しリング支持体５が図２〜図１０に例示されている。図２〜図１０に示した種々のタイプの抜出しリング支持体５は、いずれも金属製であり、その輪部５１に掛止部７１を有し、その掛止部７１が、輪部５１に挿入された管６の先端部６１の外周に引っ掛かってその管６を抜止めし得るようになっている点、上記掛止部７１が、輪部５１に内側へ向けて切起し形成された切起し片８に具備されている爪部７の先端によって形成されている点、並びに、切起し片８が輪部５１の周方向等間隔おきの複数箇所（具体的には９０度おきの４か所）に切起し形成されている点で共通している。
【００２７】
次に、図１〜図１０に示した個々の抜止めリング支持体５について具体的に説明する。
【００２８】
図２及び図３の抜止めリング支持体５において、切起し片８は、図３に示されているように、１つの角部イが同じ箇所に位置している２つの対称な三角形の爪部７，７を有している。図４（ａ）は、１つの爪部７を抜き出し、その爪部７を内面側から見た形状を示している。図３のように、それぞれの爪部７，７は、それらを形作っている三角形の底辺（輪部５の軸線に対して傾斜している）７３ａ，７３ａのところが内側へ少し折り曲げられている。こうして上記底辺７３ａ，７３ａのところが内側へ折り曲げられることによって、輪部５１の周方向に並んだ２つの対称な爪部７，７の相互間に、正面から見て凹入した谷形部７２が形成される。また、図３のように、この切起し片８において、２つの爪部７，７の先端によって形成されている平面視形状が角張った掛止部７１，７１は、輪部５１の軸線に対して直交する仮想線Ｐ上に位置しており、しかも、それらの掛止部７１，７１は、平面視形状が角張っているものの、当り部５２側に向けて突き出てはいない。７４は切起し片８を形成した跡に形成された開口である。また、図４（ａ）及び図３（ｂ）を併せ見ることによって判るように、掛止部７１として形成されている爪部７の先端は、その爪部７の内面７ａとその内面７ａにつながった厚さ方向の先端輪郭線７ｂとによって形作られる角張ったコーナになっている。
【００２９】
図５に示したように、この抜止めリング支持体５の輪部５１に管６の先端部６１が挿入されると、爪部７の先端によって形成されている掛止部７１が、管６の先端部６１の外周に引っ掛かって管６を抜止めする。そのため、図１のように、抜止めリング４に当たって後退が阻止されている抜止めリング支持体５から管６が抜け出すというおそれが少なくなる。したがって、接続口部６の複数の突歯１５の全部が管６の内周に対峙した状態を保ち、押輪３をねじ込んで抜止めリング４を縮径させると、接続口部６の複数の突歯１５の全部が管６の内周に喰い込んで管６に対する十分な抜止め作用を発揮する。
【００３０】
図６の抜止めリング支持体５においては、２つの爪部７，７の先端によって形成されている掛止部７１，７１は、その平面視形状がＶ字形に角張っていて、当り部５２側に向けて突き出ている点で、図２及び図３で説明したものと異なっている。その他の事項は図２及び図３で説明したものと同様である。これによると、抜止めリング支持体５の輪部５１に挿入された管の先端部外周に、掛止部７１が引っ掛かりやすい。そのため、掛止部７１，７１による管の抜止め作用が顕著に発揮される。その他の作用は、図２及び図３で説明したものと同様である。
【００３１】
図７の抜止めリング支持体５において、切起し片８は、三角形の１つの爪部７を有している。この爪部７においては、その爪部７を形作っている三角形の底辺（輪部５の軸線に対して直交している）７３ｂのところが内側へ少し折り曲げられている。また、図３（ｂ）及び図３（ｃ）で説明したところと同様に、掛止部７１として形成されている爪部７の先端は、その爪部７の内面７ａとその内面７ａにつながった厚さ方向の先端輪郭線７ｂとによって形作られる角張ったコーナになっている。
【００３２】
図７に示したように、この抜止めリング支持体５の輪部５１に管６の先端部６１が挿入されると、爪部７の先端によって形成されている掛止部７１が、管６の先端部６１の外周に引っ掛かって管６を抜止めする。そのため、図１のように、抜止めリング４に当たって後退が阻止されている抜止めリング支持体５から管６が抜け出すというおそれが少なくなる。したがって、接続口部６の複数の突歯１５の全部が管６の内周に対峙した状態を保ち、押輪３をねじ込んで抜止めリング４を縮径させると、接続口部６の複数の突歯１５の全部が管６の内周に喰い込んで管６に対する十分な抜止め作用を発揮する。
【００３３】
図８の抜止めリング支持体５において、切起し片８は、その１つの角部イが同じ箇所に位置している２つの対称な三角形の爪部７，７を有している。それぞれの爪部７，７は、それらを形作っている三角形の底辺（輪部５の軸線に対して傾斜している）７３ａ，７３ａのところが内側へ少し折り曲げられている。こうして上記底辺７３ａ，７３ａのところが内側へ折り曲げられることによって、輪部５１の周方向に並んだ２つの対称な爪部７，７の相互間に、正面から見て凹入した谷形部７２が形成される。この切起し片８において、２つの爪部７，７の先端によって形成されている平面視形状が角張った掛止部７１，７１は、平面視形状が角張っているものの、当り部５２側に向けて突き出てはいない。７４は切起し片８を形成した跡に形成された開口である。また、図４（ａ）及び図３（ｂ）で説明したところと同様に、掛止部７１として形成されている爪部７の先端は、その爪部７の内面とその内面につながった厚さ方向の先端輪郭線とによって形作られる角張ったコーナになっている。
【００３４】
図８に示したように、この抜止めリング支持体５の輪部５１に管６の先端部６１が挿入されると、爪部７の先端によって形成されている掛止部７１が、管６の先端部６１の外周に引っ掛かって管６を抜止めする。そのため、図１のように、抜止めリング４に当たって後退が阻止されている抜止めリング支持体５から管６が抜け出すというおそれが少なくなる。したがって、接続口部６の複数の突歯１５の全部が管６の内周に対峙した状態を保ち、押輪３をねじ込んで抜止めリング４を縮径させると、接続口部６の複数の突歯１５の全部が管６の内周に喰い込んで管６に対する十分な抜止め作用を発揮する。
【００３５】
図９の抜止めリング支持体５において、切起し片８は、その１つの角部イが同じ箇所に位置している２つの対称な三角形の爪部７，７を有している。それぞれの爪部７，７は、それらを形作っている三角形の底辺（輪部５の軸線に対して傾斜している）７３ａ，７３ａのところが内側へ少し折り曲げられている。こうして上記底辺７３ａ，７３ａのところが内側へ折り曲げられることによって、輪部５１の周方向に並んだ２つの対称な爪部７，７の相互間に、正面から見て凹入した谷形部７２が形成される。また、切起し片８はその根元７３ｃが内側へ少し折り曲げられている。この切起し片８において、２つの爪部７，７の先端によって形成されている平面視形状が角張った掛止部７１，７１は、平面視形状が角張っているものの、当り部５２側に向けて突き出てはいない。７４は切起し片８を形成した跡に形成された開口である。また、図４（ａ）及び図３（ｂ）で説明したところと同様に、掛止部７１として形成されている爪部７の先端は、その爪部７の内面とその内面につながった厚さ方向の先端輪郭線とによって形作られる角張ったコーナになっている。
【００３６】
図９に示したように、この抜止めリング支持体５の輪部５１に管６の先端部６１が挿入されると、爪部７の先端によって形成されている掛止部７１が、管６の先端部６１の外周に引っ掛かって管６を抜止めする。そのため、図１のように、抜止めリング４に当たって後退が阻止されている抜止めリング支持体５から管６が抜け出すというおそれが少なくなる。したがって、接続口部６の複数の突歯１５の全部が管６の内周に対峙した状態を保ち、押輪３をねじ込んで抜止めリング４を縮径させると、接続口部６の複数の突歯１５の全部が管６の内周に喰い込んで管６に対する十分な抜止め作用を発揮する。
【００３７】
図１０の抜止めリング支持体５において、切起し片８は、矩形の１つの爪部７を有している。この爪部７においては、その爪部７を形作っている矩形の１辺（輪部５の軸線に対して直交している）７３ｄのところが内側へ少し折り曲げられている。また、図４（ａ）及び図３（ｂ）で説明したところと同様に、掛止部７１として形成されている爪部７の先端は、その爪部７の内面７ａとその内面７ａにつながった厚さ方向の先端輪郭線７ｂとによって形作られる角張ったコーナになっている。
【００３８】
図１０に示したように、この抜止めリング支持体５の輪部５１に管６の先端部６１が挿入されると、爪部７の先端によって形成されている掛止部７１が、管６の先端部６１の外周に引っ掛かって管６を抜止めする。そのため、図１のように、抜止めリング４に当たって後退が阻止されている抜止めリング支持体５から管６が抜け出すというおそれが少なくなる。したがって、接続口部６の複数の突歯１５の全部が管６の内周に対峙した状態を保ち、押輪３をねじ込んで抜止めリング４を縮径させると、接続口部６の複数の突歯１５の全部が管６の内周に喰い込んで管６に対する十分な抜止め作用を発揮する。
【００３９】
図２〜図６、図８、図９でそれぞれ説明した抜止めリング支持体５を用いた管継手では、その抜止めリング支持体５の輪部５１の複数箇所の切起し片８のそれぞれが、輪部５１の周方向に並んだ２つの対称な爪部７，７を有していると共に、それらの爪部７，７の相互間に正面から見て凹入した谷形部７２が形成されているので、複数箇所の切起し片８のそれぞれ谷形部７２に管６が嵌まり込むことによって管６が抜止めリング支持体５の輪部５１に対して調心される。そのため、図１５で説明したように抜止めリング支持体５が抜止めリング４に当たったときに、その抜止めリング支持体５が傾き、その傾きによって上記爪部の先端による管の抜出し防止作用が損なわれるといった事態が生じにくくなる。
【００４０】
【発明の効果】
本発明の管継手によれば、押輪を締め付ける前に、抜止めリングに当たって後退が阻止されている抜止めリング支持体から抜け出る位置まで管が引き戻されるおそれが少なくなる。そのため、抜止めリングに当たって後退が阻止されている抜止めリング支持体から管が抜け出し、接続口部の複数の突歯の全部による抜止め作用が発揮され得なくなるといった事態を未然に防止することのできる管継手を提供するが可能になる。
【図面の簡単な説明】
【図１】  本発明の管継手の実施形態を分解して示した部分縦断側面図である。
【図２】  抜止めリング支持体の後面図である。
【図３】  図２のＩＩＩ−ＩＩＩ線に沿う断面図である。
【図４】  （ａ）は爪部をその内面に面する側から見た形状を示す図である。
（ｂ）は（ａ）のＩＶｂ−ＩＶｂ線に沿う拡大断面図である。
【図５】  図２及び図３の抜止めリング支持体の作用を説明するための一部破断側面図である。
【図６】  変形例による抜止めリング支持体の構造と作用を説明するための一部破断側面図である。
【図７】  別の変形例による抜止めリング支持体の構造と作用を説明するための一部破断側面図である。
【図８】  さらに別の変形例による抜止めリング支持体の構造と作用を説明するための一部破断側面図である。
【図９】  さらに別の変形例による抜止めリング支持体の構造と作用を説明するための一部破断側面図である。
【図１０】  さらに別の変形例による抜止めリング支持体の構造と作用を説明するための一部破断側面図である。
【図１１】  本出願人が先に提案した管継手の組立状態での部分縦断側面図である。
【図１２】  図１１の管継手に管を差し込んだ状態での部分縦断側面図である。
【図１３】  図１１の管継手に差し込んだ管を抜止めした状態での部分縦断側面図である。
【図１４】  図１１の管継手の取扱い方が悪い場合の問題点を説明するための部分縦断側面図である。
【図１５】  図１１の管継手の取扱い方が悪い場合の問題点を説明するための部分縦断側面図である。
【図１６】  図１１の管継手に用いられている抜止めリング支持体の斜視図である。
【符号の説明】
１  継手本体
３  押輪
４  抜止めリング
５  抜止めリング支持体
６  管
７  爪部
７ａ  爪部の内面
７ｂ  先端輪郭線
８  切起し片
１２  接続口部
１３  突出部
１４  管端挿入空間
１５  突歯
１６  案内面
５１  輪部
５２  当り部
６１  管の先端部
６２  管の先端面
７１  掛止部
７２  谷形部
【図１】
0003704435.tif 000002
【図２】
0003704435.tif 000003
【図３】
0003704435.tif 000004
【図４】
0003704435.tif 000005
【図５】
0003704435.tif 000006
【図６】
0003704435.tif 000007
【図７】
0003704435.tif 000008
【図８】
0003704435.tif 000009
【図９】
0003704435.tif 000010
【図１０】
0003704435.tif 000011
【図１１】
0003704435.tif 000012
【図１２】
0003704435.tif 000013
【図１３】
0003704435.tif 000014
【図１４】
0003704435.tif 000015
【図１５】
0003704435.tif 000016
【図１６】
0003704435.tif 000017